(57)【要約】【課題】読み取り条件の変更に伴う待ち時間を低減する。【解決手段】動作が相互に異なる第１動作モードおよび第２動作モードのいずれかによって、読取位置に搬送される複数の原稿の画像を順次読み取って画像データを出力可能なスキャナ２１０と、画像データに基づいて、読み取られた原稿が第１動作モードおよび第２動作モードのいずれに対応しているかを判定する原稿判定部４１１と、ｎ枚目（ｎは自然数）の原稿を読取手段によって第１動作モードで読み取り、ｎ枚目の原稿が判定手段によって第１動作モードに対応していないと判定された場合に、（ｎ＋１）枚目の原稿を読取手段によって第１動作モードで読み取り、（ｎ＋１）枚目の原稿を読み取った後に、ｎ枚目の原稿を読取手段によって第２動作モードで読み取るように制御するＣＰＵ２６１と、を備える。【選択図】図９
2010219961.tif 000002
【特許請求の範囲】
【請求項１】
動作が相互に異なる第１動作モードおよび第２動作モードのいずれかによって、読取位置に搬送される複数の原稿の画像を順次読み取って画像データを出力可能な読取手段と、
前記画像データに基づいて、読み取られた原稿が前記第１動作モードおよび前記第２動作モードのいずれに対応しているかを判定する判定手段と、
ｎ枚目（ｎは自然数）の原稿を前記読取手段によって前記第１動作モードで読み取り、ｎ枚目の原稿が前記判定手段によって前記第１動作モードに対応していないと判定された場合に、（ｎ＋１）枚目の原稿を前記読取手段によって前記第１動作モードで読み取り、（ｎ＋１）枚目の原稿を読み取った後に、ｎ枚目の原稿を前記読取手段によって前記第２動作モードで読み取るように制御する制御手段と、
を備えることを特徴とする画像読取装置。
【請求項２】
前記読取手段により読み取られた原稿を一時的に保持可能な保持手段をさらに備え、
前記制御手段は、ｎ枚目の原稿が前記第１動作モードに対応していないと判定された場合に、ｎ枚目の原稿を前記保持手段に搬送し、（ｎ＋１）枚目の原稿を前記読取手段によって前記第１動作モードで読み取り、（ｎ＋１）枚目の原稿を読み取った後に、ｎ枚目の原稿を前記保持手段から前記読取位置に搬送して前記読取手段によって前記第２動作モードで読み取り、前記第２動作モードで読み取り後にｎ枚目の原稿を排紙すること、
を特徴とする請求項１に記載の画像読取装置。
【請求項３】
前記制御手段は、ｎ枚目の原稿が前記第１動作モードに対応していると判定された場合に、ｎ枚目の原稿を排紙すること、
を特徴とする請求項２に記載の画像読取装置。
【請求項４】
前記制御手段は、（ｎ＋１）枚目の原稿を読み取った後、（ｎ＋１）枚目の原稿が前記第１動作モードに対応していないと前記判定手段によって判定された場合に、ｎ枚目および（ｎ＋１）枚目の原稿を前記読取手段によって前記第２動作モードで読み取るように制御すること、
を特徴とする請求項１に記載の画像読取装置。
【請求項５】
前記読取手段により読み取られた原稿を一時的に保持可能な第１保持手段と、
前記読取手段により読み取られた原稿を一時的に保持可能な第２保持手段と、
前記制御手段は、ｎ枚目の原稿が前記第１動作モードに対応していないと判定された場合に、ｎ枚目の原稿を前記第１保持手段に搬送し、（ｎ＋１）枚目の原稿が前記第１動作モードに対応していないと判定された場合に、ｎ枚目の原稿を前記第１保持手段から前記第２保持手段に搬送し、（ｎ＋１）枚目の原稿を前記第１保持手段に搬送し、ｎ枚目の原稿を前記第２保持手段から前記読取位置に搬送して前記読取手段によって前記第２動作モードで読み取ること、
を特徴とする請求項１に記載の画像読取装置。
【請求項６】
前記第１動作モードは、原稿をカラー画像として読み取るカラー動作モードであり、
前記第２動作モードは、原稿をモノクロ画像として読み取るモノクロ動作モードであり、
前記判定手段は、前記画像データに基づいて、読み取られた原稿が前記カラー動作モードで読み取り可能なカラー原稿であるか否かを判定すること、
を特徴とする請求項１に記載の画像読取装置。
【請求項７】
動作が相互に異なる第１動作モードおよび第２動作モードのいずれかによって、読取位置に搬送される複数の原稿の画像を順次読み取って画像データを出力可能な読取手段を備えた画像読取装置で実行される画像読取方法であって、
判定手段が、前記画像データに基づいて、読み取られた原稿が前記第１動作モードおよび前記第２動作モードのいずれに対応しているかを判定する判定ステップと、
制御手段が、ｎ枚目（ｎは自然数）の原稿を前記読取手段によって前記第１動作モードで読み取り、ｎ枚目の原稿が前記判定ステップによって前記第１動作モードに対応していないと判定された場合に、（ｎ＋１）枚目の原稿を前記読取手段によって前記第１動作モードで読み取り、（ｎ＋１）枚目の原稿を読み取った後に、ｎ枚目の原稿を前記読取手段によって前記第２動作モードで読み取るように制御する制御ステップと、
を備えること特徴とする画像読取方法。
【発明の詳細な説明】
【技術分野】
【０００１】
本発明は、画像データを読取る画像読取装置および画像読取方法に関する。
【背景技術】
【０００２】
自動原稿搬送装置（以下ＡＤＦと記載する）を備えた画像読取装置が、原稿の種類を判別し、その結果に応じて最適な条件で画像を読み取り、画像を生成する技術は広く知られている。例えば、原稿がカラーかモノクロかを判別し、原稿をカラーと判別した場合にはカラー用の条件で原稿を読み取りカラー画像を生成し、原稿をモノクロと判別した場合にはモノクロ用の条件で原稿を読み取りモノクロ画像を生成する機能（以降ＡＣＳと記載する）が存在する。
【０００３】
ＡＣＳを実現するためには、以下のようないくつかの方法が考えられる。
（１）最初に原稿の種別を判定するための読み取り（プレスキャン）を行い、その結果に応じて原稿を適切なモードで読み取りなおす。
（２）原稿を読み取って得られた画像データに対して画像処理を適用せずに一旦メモリに保存し、その画像データをもとに原稿種別を判定し、その結果に応じて画像データに適切な画像処理を適用する。
【０００４】
上記の方法についてはそれぞれ以下のような課題が存在する。
（１）必ずプレスキャンを行うため、読み取りに時間がかかる。
（２）画像処理前の画像データをそのままメモリに蓄積する場合、大量のメモリが必要となる。
【０００５】
このため、最初にある条件で原稿を読み取り、原稿種別の判別結果に応じて、原稿を再び読み取る場合と、原稿を再び読み取り直さずにそのまま画像を生成する場合とを切り替えるという技術が知られている。
【０００６】
例えば、特許文献１では、ＡＤＦ読取で、（１）「ＡＣＳ読み取りと通常読み取りの画像を合わせ」、かつ（２）「その読取時間を短縮する」ことを目的として、原稿を最初にモノクロモードで読み取り、ＡＣＳで原稿種類をカラーと判別した場合には、原稿をカラーモードで読み取り直す技術が提案されている。
【０００７】
また、原稿の読み取り直しにかかる時間を短縮するために、「原稿を２つの反転部にて反転する」構成が提案されている。
【発明の概要】
【発明が解決しようとする課題】
【０００８】
しかしながら、特許文献１を含む従来の画像読取装置では、原稿の１回目の読み取りと、原稿の２回目の読み取りにて、読み取り条件が異なる場合に、読み取り条件の変更に時間がかかるという問題があった。
【０００９】
例えば、特許文献１では、原稿を最初にモノクロモードで読み取り、ＡＣＳで原稿種類をカラーと判別した場合には、原稿をカラーモードで読み取り直す。このため１枚の原稿に対して、カラーモードからモノクロモードへの切り替えと、モノクロモードからカラーモードへの切り替えが、それぞれ１回ずつ発生する。
【００１０】
モノクロモードとカラーモードを切り替える場合、キャリブレーション、ＡＦＥ（Analogue Front End）の設定変更、アナログ回路のコンデンサの放電または充電、および、ランプ光量の調整などの処理のために待ち時間が発生する。そして、その結果として読み取りの生産性が低下するという問題があった。
【００１１】
本発明は、上記に鑑みてなされたものであって、読み取り条件の変更に伴う待ち時間を低減できる画像読取装置および画像読取方法を提供することを目的とする。
【課題を解決するための手段】
【００１２】
上述した課題を解決し、目的を達成するために、本発明は、動作が相互に異なる第１動作モードおよび第２動作モードのいずれかによって、読取位置に搬送される複数の原稿の画像を順次読み取って画像データを出力可能な読取手段と、前記画像データに基づいて、読み取られた原稿が前記第１動作モードおよび前記第２動作モードのいずれに対応しているかを判定する判定手段と、ｎ枚目（ｎは自然数）の原稿を前記読取手段によって前記第１動作モードで読み取り、ｎ枚目の原稿が前記判定手段によって前記第１動作モードに対応していないと判定された場合に、（ｎ＋１）枚目の原稿を前記読取手段によって前記第１動作モードで読み取り、（ｎ＋１）枚目の原稿を読み取った後に、ｎ枚目の原稿を前記読取手段によって前記第２動作モードで読み取るように制御する制御手段と、を備えることを特徴とする。
【００１３】
また、本発明は、動作が相互に異なる第１動作モードおよび第２動作モードのいずれかによって、読取位置に搬送される複数の原稿の画像を順次読み取って画像データを出力可能な読取手段を備えた画像読取装置で実行される画像読取方法であって、判定手段が、前記画像データに基づいて、読み取られた原稿が前記第１動作モードおよび前記第２動作モードのいずれに対応しているかを判定する判定ステップと、制御手段が、ｎ枚目（ｎは自然数）の原稿を前記読取手段によって前記第１動作モードで読み取り、ｎ枚目の原稿が前記判定ステップによって前記第１動作モードに対応していないと判定された場合に、（ｎ＋１）枚目の原稿を前記読取手段によって前記第１動作モードで読み取り、（ｎ＋１）枚目の原稿を読み取った後に、ｎ枚目の原稿を前記読取手段によって前記第２動作モードで読み取るように制御する制御ステップと、を備えること特徴とする。
【発明の効果】
【００１４】
本発明によれば、ある原稿の読み取り条件の変更が必要な場合であっても、次の原稿を変更前の読み取り条件で読み取った後に読み取り条件を変更して再度読み取るため、読み取り条件の変更回数を減らし、結果として読み取り条件の変更に伴う待ち時間を低減できるという効果を奏する。
【図面の簡単な説明】
【００１５】
【図１】図１は、本実施の形態にかかる画像読取装置の構成の一例を示すブロック図である。
【図２】図２は、ＡＤＦの原稿画像読み取り機構の一例を示す図である。
【図３】図３は、本実施の形態における図２の分岐内に存在するフラッパの動作の説明図である。
【図４】図４は、本実施の形態における図２の分岐内に存在するフラッパの動作の説明図である。
【図５】図５は、本実施の形態における図２の分岐内に存在するフラッパの動作の説明図である。
【図６】図６は、本実施の形態における図２の分岐内に存在するフラッパの動作の説明図である。
【図７】図７は、本実施の形態における図２の分岐内に存在するフラッパの動作の説明図である。
【図８】図８は、図１の複合機ＭＦ１の画像処理システムの構成の一例を示す図である。
【図９】図９は、本実施の形態におけるＡＣＳ読み取りに関連する機能を説明するブロック図である。
【図１０】図１０は、本実施の形態にて使用されるＣＣＤの構成の一例を示すブロック図である。
【図１１】図１１は、図１０にて説明したＣＣＤをカラーモードで駆動する場合の動作を示す図である。
【図１２】図１２は、図１０にて説明したＣＣＤをモノクロモードで駆動する場合の動作を示す図である。
【図１３】図１３は、ＣＣＤをカラーモードで駆動する場合の画像データの流れを説明する図である。
【図１４】図１４は、ＣＣＤをモノクロモードで駆動する場合の画像データの流れを説明する図である。
【図１５】図１５は、従来技術でのＡＣＳ読み取り動作を説明するフローチャート図である。
【図１６】図１６は、従来技術における、ＡＣＳ読み取りでの原稿の動作の説明図である。
【図１７】図１７は、従来技術における、ＡＣＳ読み取りでのタイムチャートを示す図である。
【図１８】図１８は、従来技術における、ＡＣＳ読み取りでのタイムチャートを示す図である。
【図１９】図１９は、従来技術における、ＡＣＳ読み取りでのタイムチャートを示す図である。
【図２０】図２０は、本実施の形態におけるＡＣＳ読み取り動作を説明するフローチャート図である。
【図２１】図２１は、本実施の形態における、ＡＣＳ読み取りでの原稿の動作の説明図である。
【図２２】図２２は、本実施の形態における、ＡＣＳ読み取りでのタイムチャートを示す図である。
【図２３】図２３は、本実施の形態における、ＡＣＳ読み取りでのタイムチャートを示す図である。
【図２４】図２４は、本実施の形態における、ＡＣＳ読み取りでのタイムチャートを示す図である。
【発明を実施するための形態】
【００１６】
以下に添付図面を参照して、この発明にかかる画像読取装置および画像読取方法の最良な実施の形態を詳細に説明する。
【００１７】
本実施の形態にかかる画像読取装置は、原稿を２枚単位で扱い、２枚単位の原稿のうち、１枚目の原稿の読み取り結果から、１枚目の原稿を再度読み取る必要があると判定した場合、２枚目の原稿を１枚目と同じ条件で読み取り、読み取り条件を変更し、１枚目の原稿を１回目とは別の条件で読み取る。これにより、読み取り条件の変更回数が少なくなり、原稿１枚当たりの待ち時間を少なくし、その結果読み取りの生産性を改善することができる。
【００１８】
図１は、本実施の形態にかかる画像読取装置の構成の一例を示すブロック図である。以下では、画像読取装置を複合機能フルカラーデジタル複写機（以下、複合機という）として実現した場合を例に説明する。適用可能な装置は複合機に限られるものではない。例えば、原稿種別の判別結果に応じて、原稿を再び読み取る場合と、原稿を再び読み取り直さずにそのまま画像を生成する場合とを切り替えて画像を読み取る機能を備えた装置であればあらゆる装置に適用できる。
【００１９】
図１に示すように、複合機ＭＦ１は、主な構成として、自動原稿送り装置（ＡＤＦ）２３０と、操作ボード９０と、読取手段として機能するスキャナ２１０と、プリンタ１００の各ユニットを備えている。なお、操作ボード９０と、ＡＤＦ２３０付きのスキャナ２１０は、プリンタ１００から分離可能なユニットである。スキャナ２１０は、動力機器ドライバやセンサ入力およびコントローラを有する制御ボードを有しており、画像読み取り等のプロセスを制御する制御手段として機能するＣＰＵ２６１（図３参照）と直接または間接に通信を行いタイミング制御されて原稿画像の読み取りを行う。
【００２０】
プリンタ１００を接続したコントローラボード２７０（図３参照）には、パソコンＰＣが接続したＬＡＮ（Local Area Network）が接続されており、ファクシミリコントロールユニット（ＦＣＵ）２８７（図３）には、電話回線ＰＮ（ファクシミリ通信回線）に接続された交換器ＰＢＸが接続されている。プリンタ１００のプリント済の用紙は、図示しない排紙スタック（排紙トレイ）に排出される。
【００２１】
図２は、スキャナ２１０およびスキャナ２１０に装着されたＡＤＦ２３０の、原稿画像読み取り機構の一例を示す図である。
【００２２】
スキャナ２１０のコンタクトガラス２２１上に置かれた原稿は、照明ランプ２２２により照明され、原稿の反射光（画像光）が第１ミラー２２３で副走査方向ｙと平行に反射される。照明ランプ２２２および第１ミラー２２３は、副走査方向ｙに定速駆動される第１キャリッジ（図示せず）に搭載されている。第１キャリッジと同方向にその１／２の速度で駆動される第２キャリッジ（図示せず）には、第２ミラー２２４および第３ミラー２２５が搭載されており、第１ミラー２２３が反射した画像光は第２ミラー２２４で下方向（ｚ）に反射され、そして第３ミラー２２５で副走査方向ｙに反射されて、レンズ２２６により集束され、ＣＣＤ２０７に照射され、電気信号に変換される。
【００２３】
第１キャリッジおよび第２キャリッジは、走行体モータ（図示せず）を駆動源として、副走査方向に往（原稿走査）、復（リタ−ン）駆動される。このようにスキャナ２１０は、コンタクトガラス２２１上の原稿を照明ランプ２２２および第１ミラー２２３で走査して原稿画像をＣＣＤ２０７に投影するフラットベッド方式の原稿スキャナであるが、ＡＤＦ読み取りも可能なように、第１キャリッジがホームポジション（待機位置）ＨＰで停止しているときの第１ミラー２２３の読み取り視野位置に、シートスルー読み取り窓である読み取りガラス２４０が存在し、この読み取りガラス２４０の上方にＡＤＦ２３０が装着されている。
【００２４】
ＡＤＦ２３０の原稿トレイ２４１に積載された原稿は、ピックアップローラ２４２およびレジストローラ対２４３で搬送経路４４３を経由して搬送ドラム（図示せず）と押さえローラ（図示せず）の間に送り込まれて、搬送ローラ２４４、２４５で搬送経路４４５を搬送され、搬送ドラムに密着して読み取りガラス２４０の上を通過し、そして排紙ローラ２４６、２４７で、搬送経路４４６を経由して原稿トレイ２４１の下方に存在する圧板兼用の排紙トレイ２４９上に排出される。
【００２５】
原稿の表面の画像は、原稿読取窓である読み取りガラス２４０を通過する際に、その直下に移動している照明ランプ２２２により照射され、原稿の表面の反射光は、第１ミラー２２３以下の光学系を介してＣＣＤ２０７に照射され光電変換される。すなわちＲＧＢ各色画像信号に変換される。搬送ドラムの表面は、読み取りガラス２４０に対向する白色背板であり、白基準面となるように白色である。
【００２６】
読み取りガラス２４０と原稿始端の位置決め用のスケール２１８との間には、基準白板２２９、ならびに、第１キャリッジを検出する基点センサ２１９が存在する。基準白板２２９は、照明ランプ２２２の個々の発光強度のばらつき、また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００２７】
ＡＤＦ２３０の基体（図示せず）は、奥側（同図紙面の裏側）でスキャナ２１０の基体にヒンジ結合（蝶番連結）しており、ＡＤＦ２３０の基体の手前側（同図紙面の表側）の取っ手（図示せず）を持ってＡＤＦ２３０の基体を引き上げることにより、ＡＤＦ２３０を起こす（開く）ことができる。ＡＤＦ２３０の基体の奥側には、ＡＤＦ２３０の開閉を検出するスイッチが存在する。ＡＤＦ２３０の、コンタクトガラス２２１に対向する圧板（図示せず）がＡＤＦ２３０の底面部に装着されており、ＡＤＦ２３０が閉じると、圧板の下面がコンタクトガラス２２１の上面に密着する。
【００２８】
図３および図４は、本実施の形態における図２の分岐２３６内に存在するフラッパ４３６の動作の説明図である。なお、フラッパ４３６がいずれの位置でも、分岐２３７方向（図３の上方向）と反転経路４４７方向（図３の右下方向）の双方向間では原稿を搬送可能である。
【００２９】
図３は、フラッパ４３６の第１の位置４３６ａを示す図である。この位置４３６ａでは、搬送経路４４６方向（同図の左下方向）から搬送された原稿は、分岐２３７方向（同図の上方向）に搬送される。
【００３０】
図４は、フラッパ４３６の第２の位置４３６ｂを示す図である。この位置４３６ｂでは、搬送経路４４６方向（同図の左下方向）から搬送された原稿は、反転経路４４７方向（同図の右下方向）に搬送される。
【００３１】
図５〜図７は、本実施の形態における、分岐２３７内に存在するフラッパ４３７の動作の説明図である。
【００３２】
図５は、フラッパ４３７の第１の位置４３７ａを示す図である。この位置４３７ａでは、分岐２３６方向（同図の下方向）から搬送された原稿は、反転経路４４８方向（同図の右方向）に搬送される。また反転経路４４８方向（同図の右方向）から搬送された原稿は、分岐２３６方向（同図の下方向）に搬送される。
【００３３】
図６は、フラッパ４３７の第２の位置４３７ｂを示す図である。この位置４３７ｂでは、分岐２３６方向（同図の下方向）から搬送された原稿は、再搬送経路４４９方向（同図の左方向）に搬送される。
【００３４】
図７は、フラッパ４３７の第３の位置４３７ｃを示す図である。この位置４３７ｃでは、反転経路４４８方向（同図の右方向）から搬送された原稿は、再搬送経路４４９方向（同図の左方向）に搬送される。
【００３５】
図８は、図１の複合機ＭＦ１の画像処理システムの構成の一例を示す図である。複合機ＭＦ１は、原稿画像読み取りおよびカラー印刷を行うエンジン２６０、コントローラボード２７０および操作ボード９０を含む。エンジン２６０は、画像読み取りおよび印刷のプロセスを制御するＣＰＵ２６１、上述のスキャナ２１０、上述のプリンタ１００、および、ＡＳＩＣ（Application Specific IC）で構成した画像入出力処理部２６２を備えている。
【００３６】
スキャナ２１０のセンサボードユニットＳＢＵ上にはＣＰＵ、ＲＯＭおよびＲＡＭが存在し、該ＣＰＵが該ＲＯＭに格納されたプログラムを該ＲＡＭに書き込んで実行することで、スキャナ２１０の全体を制御している。また、プロセス制御用のＣＰＵ２６１と通信線を介して接続されおり、コマンド及びデータの送受信により指令された動作を行う。スキャナ２１０内のＣＰＵは、原稿検知センサ、ＨＰセンサ、圧板開閉センサ、冷却ファン等の検知及びＯＮ／ＯＦＦを制御する。スキャナ２１０内で、モータドライバ（後述）が、ＣＰＵからのＰＷＭ出力によりドライブされ励磁パルスシーケンスを発生し原稿走査駆動用のパルスモータを駆動する。
【００３７】
原稿画像は、ランプレギュレータによって通電されるハロゲンランプ（照明ランプ２２２）の光量出力により照明されて、原稿の反射光すなわち光信号は、複数ミラー（第１ミラー２２３、第２ミラー２２４、第３ミラー２２５）及びレンズ２２６を通りＲＧＢおよびＫ読み取り用の４個のラインセンサを含むＣＣＤ２０７に結像される。４ラインのＣＣＤ２０７は、センサボードユニットＳＢＵ上のＣＰＵによって、各駆動クロックを与えられて各ＲＧＢまたはＫの各画素のアナログ画像信号を、アナログ信号処理およびＡ／Ｄ変換を行うＡＦＥ２１２に出力する。
【００３８】
コントローラボード２７０は、ＣＰＵ２７２と、ＡＳＩＣで構成された書画蓄積制御部２７３と、ハードディスク装置（以下ではＨＤＤと表記）２７１と、ローカルメモリ（ＭＥＭ−Ｃ）２７６と、システムメモリ（ＭＥＭ−Ｐ）２７９と、ノースブリッジ（以下、ＮＢと記す）２７８と、サウスブリッジ（以下、ＳＢと記す）２８５と、ＮＩＣ２８０（Network Interface Card）と、ＵＳＢデバイス２８１と、ＩＥＥＥ１３９４デバイス２８２と、セントロニクスデバイス２８３他を含む。操作ボード９０は、コントローラボード２７０の書画蓄積制御部２７３に接続されている。ＦＣＵ２８７も、書画蓄積制御部２７３にＰＣＩバスで接続されている。
【００３９】
ＣＰＵ２７２は、ＮＩＣ２８０を介してＬＡＮに接続されたパソコンＰＣあるいはインターネットを介する他のパソコンＰＣと書画情報の送受信を行うことができる。また、ＵＳＢデバイス２８１、ＩＥＥＥ１３９４デバイス２８２、セントロニクスデバイス２８３を用いてパソコン、プリンタ、デジタルカメラ等と通信することができる。
【００４０】
ＳＢ２８５と、ＮＩＣ２８０と、ＵＳＢデバイス２８１と、ＩＥＥＥ１３９４デバイス２８２と、セントロニクスデバイス２８３と、ＭＬＢ２８４は、ＮＢ２７８にＰＣＩバスで接続されている。このように、ＭＬＢ２８４は、エンジン２６０にＰＣＩバスを介して接続する基板である。そして、ＭＬＢ２８４は、外部から入力された書画データをイメージデータ（画像データ）に変換し、変換された画像データをエンジン２６０に出力する。
【００４１】
コントローラボード２７０の書画蓄積制御部２７３にＭＥＭ−Ｃ２７６、ＨＤＤ２７１などが接続されると共に、ＣＰＵ２７２と書画蓄積制御部２７３とがＣＰＵチップセットのＮＢ２７８を介して接続されている。書画蓄積制御部２７３とＮＢ２７８とは、ＡＧＰ（Accelerated Graphics Port）を介して接続されている。
【００４２】
ＣＰＵ２７２は、複合機ＭＦ１の全体制御を行うものである。ＮＢ２７８は、ＣＰＵ２７２、システムメモリ２７９、ＳＢ２８５および書画蓄積制御部２７３を接続するためのブリッジである。システムメモリ２７９は、複合機ＭＦ１の描画用メモリなどとして用いるメモリである。ＳＢ２８５は、ＮＢ２７８とＰＣＩバス、周辺デバイスとを接続するためのブリッジである。ＳＢ２８５は、ＲＯＭ２８６と接続されている。また、ＭＥＭ−Ｃ２７６はコピー用画像バッファ、符号バッファとして用いるメモリである。ＨＤＤ２７１は、画像データの蓄積、文書データの蓄積、プログラムの蓄積、フォントデータの蓄積、フォームの蓄積、ＬＵＴ（Look Up Table）の蓄積などを行うためのメモリである。また、操作ボード９０は、ユーザからの入力操作を受け付けると共に、ユーザに向けた表示を行う操作部である。
【００４３】
書画蓄積制御部２７３は、画像データの回転を行う回転器２７４と、画像データの編集を行う編集器２７５とを備えている。
【００４４】
図８には、スキャナ２１０およびプリンタ１００と画像入出力処理部２６２との間でやり取りする画像データの流れも示されている。画像入出力処理部２６２には、スキャナ２１０の読取ユニット２１１が原稿画像を読み取って発生するＲＧＢ画像データのそれぞれに対してシェーディング補正、読取りγ補正、ＭＴＦ補正等を行い、必要に応じて補正後のＲＧＢ画像データをＣＭＹＫ記録色データに変換するスキャナ画像処理部２６３が備えられている。また、画像入出力処理部２６２には、ＲＧＢ画像データ又はＣＭＹＫ記録色データをプリンタ１００の、ＣＭＹＫ各色書込みユニット３１０〜３１３の画像表現特性に合ったＣＭＹＫ印刷データに変換するプリンタ画像処理部２６４が備えられている。更に、画像入出力処理部２６２には、書画蓄積制御部２７３に原稿読取画像データＲＧＢ又はＣＭＹＫを出力し、書画蓄積制御部２７３が出力する画像データＲＧＢ又はＣＭＹＫをプリンタ画像処理部２６４に与える画像処理Ｉ／Ｆ（Interface circuit）２６５が備えられている。
【００４５】
原稿１枚につき１枚の印刷を行う１枚コピーのときには、スキャナ画像処理部２６３からＣＭＹＫ記録色データが画像処理Ｉ／Ｆ２６５に出力され、画像処理Ｉ／Ｆ２６５がこれらの画像データをプリンタ画像処理部２６４に出力し、プリンタ画像処理部２６４が必要に応じて変倍、画像加工を、そしてプリンタγ変換および階調処理をして各書込みユニット３１０〜３１３（レーザ書込ユニットの各レーザ発光器）に出力する。
【００４６】
原稿１枚につき複数枚の印刷を行う連続コピーのときには、スキャナ画像処理部２６３からＣＭＹＫ記録色データが画像処理Ｉ／Ｆ２６５に出力され、画像処理Ｉ／Ｆ２６５によってこれらの画像データは書画蓄積制御部２７３に出力されてＭＥＭ−Ｃ２７６又はＨＤＤ２７１に一時蓄積され、そして１枚のコピーの度に読み出されて書画蓄積制御部２７３から画像処理Ｉ／Ｆ２６５を介してプリンタ画像処理部２６４に与えられる。プリンタ画像処理部２６４は、必要に応じて変倍、画像加工を、そしてプリンタγ変換および階調処理をして各書込みユニット３１０〜３１３に出力する。
【００４７】
スキャナ２１０による原稿読み取りおよび登録、又は、外部への送信のときには、スキャナ画像処理部２６３が出力するＲＧＢ画像データが、画像処理Ｉ／Ｆ２６５および書画蓄積制御部２７３を介して、ＨＤＤ２７１に登録される、又は、ＭＥＭ−Ｃ２７６又はＨＤＤ２７１に一時蓄積してから外部に送出される。
【００４８】
プリンタ１００による登録ＲＧＢ画像データ、又は、外部から受信したＲＧＢ画像データの印刷のときには、書画蓄積制御部２７３および画像処理Ｉ／Ｆ２６５を介してＲＧＢ画像データがプリンタ画像処理部２６４に与えられる。プリンタ画像処理部２６４は、ＲＧＢ画像データをＣＭＹＫ記録色データに変換してから、必要に応じて変倍、画像加工を、そしてプリンタγ変換および階調処理をして、各書込みユニット３１０〜３１３に出力する。
【００４９】
図９は、本実施の形態におけるＡＣＳ読み取りに関連する機能を説明するブロック図である。基本的な機能は図８の説明に記載されているため、ここでは重複する説明は省略する。
【００５０】
（モータ駆動パルスの生成、および原稿、キャリッジ位置の検知）
ＣＰＵ２６１は、ＰＷＭパルスをモータドライバ４０２に出力する。モータドライバ４０２はこのＰＷＭ出力によりドライブされ励磁パルスシーケンスを発生し、ＡＤＦモータ４０１と走行体モータを駆動する。これにより原稿、あるいは第１キャリッジ（と第２キャリッジ）が移動する。
【００５１】
またＣＰＵ２６１は、ＰＷＭパルスの発生数を計測することで、ＡＤＦモータ４０１により移動する原稿の位置、あるいは走行体モータにより移動する第１キャリッジ（と第２キャリッジ）の位置を検知する。
【００５２】
（原稿種類の検知）
ＣＣＤ２０７で読み取られた原稿のカラー情報は、ＡＦＥ２１２によりディジタルデータに変換される。そしてスキャナ画像処理部２６３に内蔵される、判定手段として機能する原稿判定部４１１が、読み取られた原稿がカラー原稿かモノクロ原稿かを判定する。原稿種類の判定方法の１例としては、入力された画像データのうち、カラーデータの画素数をカウントし、カウント数がある一定以上である場合に原稿をカラーと判定し、それ以外である場合に原稿をモノクロと判定する方法がある。
【００５３】
原稿がカラーと判定された場合には、スキャナ画像処理部２６３にてカラー画像用の画像処理が施された後、ＭＥＭ−Ｃ２７６に画像データとして蓄えられる。
また原稿がモノクロと判定された場合には、後述するように原稿をモノクロで読み取り直す。ＣＣＤ２０７で読み取られた原稿のモノクロ情報は、ＡＦＥ２１２によりディジタルデータに変換される。そしてスキャナ画像処理部２６３にてモノクロ画像用の画像処理が施された後、ＭＥＭ−Ｃ２７６に画像データとして蓄えられる。
【００５４】
図１０は、本実施の形態にて使用されるＣＣＤ２０７の構成の一例を示すブロック図である。
【００５５】
ＣＣＤ２０７は、原稿の画像データを読み取るラインセンサとして、赤情報を読み取るラインセンサ３０１、緑情報を読み取るラインセンサ３０２、青情報を読み取るラインセンサ３０３、および、白黒情報を読み取るラインセンサ３０５、を備える。すなわち赤、緑、青、白黒用のラインセンサをそれぞれ一本ずつ備える。またＣＣＤ２０７はラインセンサの信号を外部に出力する出力端子３３１、３３２、３３３と、出力信号を選択するスイッチ３２２、３２３を持つ。
【００５６】
なお、ラインセンサ３０５には、２つの出力端子３３２、３３３が対応しており、一方からはラインセンサ３０５の奇数画素の信号を、他方からはラインセンサ３０５の偶数画素の信号を出力可能な構成となっている。このためラインセンサ３０５は、１ラインの読取速度が他のラインセンサの２倍である。
【００５７】
図１１は、図１０にて説明したＣＣＤ２０７をカラーモードで駆動する場合（＝原稿をカラーで読み取る場合）の動作を示す図である。
【００５８】
原稿をカラーで読み取る場合は、スイッチ３２２ａ、３２３ａはラインセンサ３０２、３０３側に設定する。これによりラインセンサ３０１、３０２、３０３の各信号が、出力端子３３１、３３２、３３３から出力される。すなわち赤、緑、青の各色の信号がＣＣＤ２０７から出力される。
【００５９】
図１２は、図１０にて説明したＣＣＤ２０７をモノクロモードで駆動する場合（＝原稿をモノクロで読み取る場合）の動作を示す図である。
【００６０】
原稿をモノクロで読み取る場合は、スイッチ３２２ｂ、３２３ｂはラインセンサ３０５側に設定する。これによりラインセンサ３０５の信号が、出力端子３３２、３３３から出力される。すなわち白黒信号がＣＣＤ２０７から出力される。
【００６１】
前述の通り、ラインセンサ３０５は、１ラインの読取速度が他のラインセンサの２倍である。つまりＣＣＤ２０７をモノクロモードで駆動する場合は、原稿の読取速度をカラーモードの２倍にすることができる。なおモノクロモードでも、ラインセンサ３０１の信号を出力端子３３１から出力可能であるが、通常は使用しない。
【００６２】
図１３は、ＣＣＤ２０７をカラーモードで駆動する場合の画像データの流れを説明する図である。この場合、ＣＣＤ２０７からは赤（Ｒ）、緑（Ｇ）、青（Ｂ）の各色のアナログ画像信号が出力される。ＡＦＥ２１２によりディジタルデータに変換された各色の信号は、スキャナ画像処理部２６３にてカラー画像用の画像処理が施された後、ＭＥＭ−Ｃ２７６にＲＧＢ画像データまたはＣＭＹＫ記録データとして蓄えられる。
【００６３】
図１４は、ＣＣＤ２０７をモノクロモードで駆動する場合の画像データの流れを説明する図である。この場合、ＣＣＤ２０７からはＫ１（白黒の奇数画素）、Ｋ２（白黒の偶数画素）のモノクロのアナログ画像信号が出力される。ＡＦＥ２１２によりディジタルデータに変換されたモノクロ信号は、スキャナ画像処理部２６３にてモノクロ画像用の画像処理が施された後、ＭＥＭ−Ｃ２７６にＫ画像データまたはＫ記録データとして蓄えられる。
【００６４】
ここで、従来技術にしたがってＡＣＳ読み取り動作を実行すると仮定した場合の処理について説明する。図１５は、従来技術でのＡＣＳ読み取り動作を説明するフローチャート図である。
【００６５】
まず、ユーザが、ＡＤＦ２３０の原稿トレイ２４１上に原稿をセットする（ステップＳ１１０１）。次に、ユーザが、アプリケーションの選択（コピー、スキャナ、ＦＡＸなど）、その他設定（画像濃度、読み取り解像度、画質モード、変倍率など）を行い、最後に原稿読み取り開始を指示する（ステップＳ１１０２）。なお読み取りモードは、ユーザがＡＣＳに設定する。
【００６６】
次に、複合機ＭＦ１内部をカラー読み取り可能な状態に設定する（ステップＳ１１０５）。また、原稿読取枚数を示すｎを１にする（ステップＳ１１０６）。
【００６７】
次に、ＡＤＦ２３０により原稿を搬送し、ｎ枚目の原稿をカラーモードで読み取る（ステップＳ１１１０）。なお詳細な動作については後述する。
【００６８】
次に、ステップＳ１１１０にて得られるＲＧＢ画像データから、原稿判定部４１１がｎ枚目の原稿がカラー原稿であるか、モノクロ原稿であるかを判別する（ステップＳ１１２１）。そして、原稿判定部４１１が、ｎ枚目の原稿がモノクロ原稿であるか否かを判断する（ステップＳ１１２２）。
【００６９】
モノクロ原稿であると判断した場合は（ステップＳ１１２２：Ｙｅｓ）、複合機ＭＦ１内部をモノクロ読み取り可能な状態に設定する（ステップＳ１１４２）。次に、ＡＤＦ２３０により原稿を搬送し、ｎ枚目の原稿をモノクロモードで読み取る（ステップＳ１１５０）。なお詳細な動作については後述する。
【００７０】
次に、複合機ＭＦ１内部をカラー読み取り可能な状態に設定する（ステップＳ１１８５）。
【００７１】
ステップＳ１１２２でモノクロ原稿でないと判断した場合（ステップＳ１１２２：Ｎｏ）、または、ステップＳ１１８５の後、原稿読取枚数を示すｎに１を加える（ステップＳ１１８７）。そして、原稿が最終ページか否かを判定する（ステップＳ１１９１）。原稿が最終ページでは無い場合は（ステップＳ１１９１：Ｎｏ）、ステップＳ１１１０からの動作を繰り返す。また原稿が最終ページである場合は（ステップＳ１１９１：Ｙｅｓ）、読み取り動作を完了する。
【００７２】
図１６は、従来技術における、ＡＣＳ読み取りでの原稿の動作の説明図である。同図内での原稿の状態を示す番号（例：Ｍ１１０１）と、図１５でのステップの番号（例：Ｓ１１０１）の関係については、図１７〜図１９で説明する。なお、図１６では、原稿の先端側に記号（黒点）を付している。
【００７３】
Ｍ１１０１：ユーザにより、原稿がＡＤＦ２３０上の原稿トレイ２４１にセットされる。なお原稿の読取面が、上向きになるようにセットされる。
Ｍ１１１１：ｎ枚目の原稿の先端が、搬送経路４４３を経由してレジストローラ対２４３に挟まれる位置に到達する。
Ｍ１１１２：ｎ枚目の原稿の先端が、搬送経路４４５を経由して読取位置２３８に到達する。
Ｍ１１１３：ｎ枚目の原稿の先端が、搬送経路４４６、分岐２３６、２３７を経由して反転経路４４８に到達する。このとき、分岐２３６、２３７内のフラッパ４３６、４３７は、それぞれ位置４３６ａ、４３７ａに存在する。またｎ枚目の原稿の後端が、読取位置２３８に到達する。Ｍ１１１２とＭ１１１３の間で、ｎ枚目の原稿がカラーモードで読み取られる。
Ｍ１１１４：ｎ枚目の原稿の後端が、反転経路４４８に到達する。フラッパ４３６、４３７は、Ｍ１１１３と同じ位置に存在する。このとき原稿の読取面は、下向きとなる。なおｎ枚目の原稿がカラー原稿と判定された場合は、次のＭ１１４１ではなく、Ｍ１１８５に移行する。
Ｍ１１４１：ｎ枚目の原稿の後端が、分岐２３７、２３６を経由して反転経路４４７に到達する。フラッパ４３６、４３７は、Ｍ１１１３と同じ位置に存在する。なおＭ１１５１までは、ｎ枚目の原稿は通常と逆向きに搬送される。
Ｍ１１５１：ｎ枚目の原稿の先端が、反転経路４４７に到達する。フラッパ４３６、４３７は、Ｍ１１１３と同じ位置に存在する。このとき原稿の読取面は、上向きとなる。
Ｍ１１５２：ｎ枚目の原稿の先端が、分岐２３６、２３７、再搬送経路４４９、および搬送経路４４５を経由して読取位置２３８に到達する。このときフラッパ４３６、４３７は、それぞれ位置４３６ａ、４３７ｂに存在する。
Ｍ１１５３：ｎ枚目の原稿の先端が、搬送経路４４６、分岐２３６、２３７、および反転経路４４８を経由して、排紙トレイ２４９の上に到達する。フラッパ４３６、４３７は、それぞれ位置４３６ａ、４３７ａに存在する。またｎ枚目の原稿の後端が、読取位置２３８に到達する。Ｍ１１５２とＭ１１５３の間で、ｎ枚目の原稿がモノクロモードで読み取られる。
Ｍ１１８５：ｎ枚目の原稿の後端が、排紙トレイ２４９に到達する。すなわちｎ枚目の原稿が、排紙トレイ２４９にスタックされる。フラッパ４３６、４３７は、Ｍ１１５３と同じ位置に存在する。このとき原稿の読取面は、下向きとなる。
【００７４】
図１７〜図１９は、従来技術における、ＡＣＳ読み取りでのタイムチャートを示す図である。各図のステップ行の各番号は、図１５のステップ番号に対応する。原稿動作の状態行の各番号は、図１６の状態番号に対応する。原稿種判定行のＣＳｎ、ＣＳ（ｎ＋１）、ＣＳ（ｎ＋２）は、それぞれｎ、（ｎ＋１）、（ｎ＋２）枚目の原稿が、カラー原稿とモノクロ原稿のいずれであるかを判定する期間である。
【００７５】
モード変更行のＣ→Ｋは、複合機ＭＦ１内部をカラー読取可能な状態から、モノクロ読取可能な状態に切り替える期間である。またＫ→Ｃは、複合機ＭＦ１内部をモノクロ読取可能な状態から、カラー読取可能な状態に切り替える期間である。
【００７６】
原稿動作のｎ枚目、（ｎ＋１）枚目、（ｎ＋２）枚目の各行における記号は、それぞれｎ枚目、（ｎ＋１）枚目、（ｎ＋２）枚目の原稿に対する以下の動作を示す。
【００７７】
ａ：原稿先端を、原稿トレイ２４１から、レジストローラ対２４３に挟まれる位置まで搬送する。
ｂ：原稿先端を、レジストローラ対２４３に挟まれる位置から、読取位置２３８まで搬送する。
Ｃ：原稿先端を、読取位置２３８から、反転経路４４８まで搬送する。また原稿後端を、読取位置２３８まで搬送する。この間原稿が読取位置２３８上を通過するが、原稿をカラーモードで読み取る。
ｄ：原稿後端を、読取位置２３８から、反転経路４４８まで搬送する。
ｅ：原稿全体を、反転経路４４８から、反転経路４４７まで搬送する。
ｆ：原稿先端を、反転経路４４７から、読取位置２３８まで搬送する。
Ｋ：原稿先端を、読取位置２３８から、反転経路４４７まで搬送する。また原稿後端を、読取位置２３８まで搬送する。この間原稿が読取位置２３８上を通過するが、原稿をモノクロモードで読み取る。
ｇ：原稿後端を、反転経路４４７から、読取位置２３８まで搬送する。
【００７８】
なお、図１７は、従来技術における、ＡＣＳ読み取りでの、ｎ枚目と（ｎ＋１）枚目の原稿がそれぞれカラー原稿の場合のタイムチャートを示す。また、図１８は、従来技術における、ＡＣＳ読み取りでの、ｎ枚目の原稿がカラー原稿、（ｎ＋１）枚目の原稿がモノクロ原稿の場合のタイムチャートを示す。図１９は、従来技術における、ＡＣＳ読み取りでの、ｎ枚目と（ｎ＋１）枚目の原稿がモノクロ原稿の場合のタイムチャートを示す。
【００７９】
次に、本実施の形態におけるＡＣＳ読み取り動作について説明する。図２０は、本実施の形態におけるＡＣＳ読み取り動作を説明するフローチャート図である。
【００８０】
まず、ユーザが、ＡＤＦ２３０の原稿トレイ２４１上に原稿をセットする（ステップＳ１０１）。次に、ユーザが、アプリケーションの選択（コピー、スキャナ、ＦＡＸなど）、その他設定（画像濃度、読み取り解像度、画質モード、変倍率など）を行い、最後に原稿読み取り開始指示を行う（ステップＳ１０２）。なお読み取りモードは、ユーザがＡＣＳに設定する。
【００８１】
次に、複合機ＭＦ１内部をカラー読み取り可能な状態に設定する（ステップＳ１０５）。また、原稿読取枚数を示すｎを１にする（ステップＳ１０６）。
【００８２】
次に、ＡＤＦ２３０により原稿を搬送し、ｎ枚目の原稿をカラーモードで読み取る。なお詳細な動作については後述する。
【００８３】
次に、ステップＳ１１０にて得られるＲＧＢ画像データから、原稿判定部４１１がｎ枚目の原稿がカラー原稿であるか、モノクロ原稿であるかを判別する（ステップＳ１２１）。そして、原稿判定部４１１が、ｎ枚目の原稿がモノクロ原稿であるか否かを判断する（ステップＳ１２２）。
【００８４】
モノクロ原稿であると判断した場合は（ステップＳ１２２：Ｙｅｓ）、原稿が最終ページ以外か否かを判定する（ステップＳ１２３）。原稿が最終ページ以外（最終ページでは無い）場合は（ステップＳ１２３：Ｙｅｓ）、ＡＤＦ２３０により原稿を搬送し、（ｎ＋１）枚目の原稿をカラーモードで読み取る（ステップＳ１３０）。なお詳細な動作については後述する。
【００８５】
次に、ステップＳ１３０にて得られるＲＧＢ画像データから、原稿判定部４１１が（ｎ＋１）枚目の原稿がカラー原稿であるか、モノクロ原稿であるかを判別する（ステップＳ１４１）。次に、複合機ＭＦ１内部をモノクロ読み取り可能な状態に設定する（ステップＳ１４２）。そして、ＡＤＦ２３０により原稿を搬送し、ｎ枚目の原稿をモノクロモードで読み取る（ステップＳ１５０）。なお詳細な動作については後述する。
【００８６】
次に、原稿判定部４１１が、（ｎ＋１）枚目の原稿がモノクロ原稿であるか否かを判断する（ステップＳ１６２）。モノクロ原稿であると判断した場合は（ステップＳ１６２：Ｙｅｓ）、ＡＤＦ２３０により原稿を搬送し、（ｎ＋１）枚目の原稿をモノクロモードで読み取る（ステップＳ１７０）。なお詳細な動作については後述する。
【００８７】
（ｎ＋１）枚目の原稿がモノクロ原稿でないと判断した場合（ステップＳ１６２：Ｎｏ）、または、ステップＳ１７０の後、複合機ＭＦ１内部をカラー読み取り可能な状態に設定する（ステップＳ１８５）。次に、原稿読取枚数を示すｎに２を加える（ステップＳ１８７）。
【００８８】
ステップＳ１２３で原稿が最終ページであると判断された場合は（ステップＳ１２３：Ｎｏ）、ステップＳ１４２と同様に複合機ＭＦ１内部をモノクロ読み取り可能な状態に設定する（ステップＳ１４３）。そして、ＡＤＦ２３０により原稿を搬送し、ｎ枚目の原稿をモノクロモードで読み取る（ステップＳ１５５）。
【００８９】
ステップＳ１５５の後、または、ステップＳ１２２でｎ枚目の原稿がモノクロ原稿でないと判断した場合は（ステップＳ１２２：Ｎｏ）、原稿読取枚数を示すｎに１を加える（ステップＳ１８８）。上記の通り、このステップはｎ枚目の原稿がカラーの場合、または最終ページの場合に発生する。
【００９０】
次に、原稿が最終ページか否かを判定する（ステップＳ１９１）。原稿が最終ページで無い場合は（ステップＳ１９１：Ｎｏ）、ステップＳ１１０からの動作を繰り返す。また原稿が最終ページである場合は（ステップＳ１９１：Ｙｅｓ）、読み取り動作を完了する。
【００９１】
図２１は、本実施の形態における、ＡＣＳ読み取りでの原稿の動作の説明図である。
原稿の状態を示す番号（例：Ｍ１０１）と図２０におけるステップの番号（例：Ｓ１０１）の関係については、図２２〜図２４で説明する。なお、図２１では、原稿の先端側に記号（黒点）を付している。
【００９２】
Ｍ１０１：ユーザにより、原稿がＡＤＦ２３０上の原稿トレイ２４１にセットされる。なお原稿の読取面が、上向きになるようにセットされる。
Ｍ１１１：ｎ枚目の原稿の先端が、搬送経路４４３を経由してレジストローラ対２４３に挟まれる位置に到達する。
Ｍ１１２：ｎ枚目の原稿の先端が、搬送経路４４５を経由して読取位置２３８に到達する。
Ｍ１１３：ｎ枚目の原稿の先端が、搬送経路４４６、分岐２３６、２３７を経由して反転経路４４８に到達する。このとき、分岐２３６、２３７内のフラッパ４３６、４３７は、それぞれ位置４３６ａ、４３７ａに存在する。またｎ枚目の原稿の後端が、読取位置２３８に到達する。Ｍ１１２とＭ１１３の間で、ｎ枚目の原稿がカラーモードで読み取られる。さらに（ｎ＋１）枚目の原稿の先端が、搬送経路４４３を経由してレジストローラ対２４３に挟まれる位置に到達する。
Ｍ１１４：ｎ枚目の原稿の後端が、反転経路４４８に到達する。フラッパ４３６、４３７は、Ｍ１１３と同じ位置に存在する。このとき原稿の読取面は、下向きとなって保持される。このように、反転経路４４８は、原稿を一時的に保持可能な保持手段として機能する。なおｎ枚目の原稿がカラー原稿と判定された場合は、次のＭ１３１ではなく、Ｍ１８８に移行する。
Ｍ１３１：ｎ枚目の原稿の後端が、搬送ローラ２４８により、分岐２３７、２３６を経由して反転経路４４７に到達する。フラッパ４３６、４３７は、Ｍ１１３と同じ位置に存在する。なおＭ１３２までは、ｎ枚目の原稿は通常と逆向きに搬送される。さらに（ｎ＋１）枚目の原稿が、読取位置２３８に向けて搬送経路４４５内を搬送される。
Ｍ１３２：ｎ枚目の原稿の先端が、反転経路４４７に到達する。フラッパ４３６、４３７は、Ｍ１１３と同じ位置に存在する。このとき原稿の読取面は、上向きとなって保持される。このように、反転経路４４７は、原稿を一時的に保持可能な保持手段として機能する。さらに（ｎ＋１）枚目の原稿の先端が、搬送経路４４５を経由して読取位置２３８に到達する。
Ｍ１３３：（ｎ＋１）枚目の原稿の先端が、搬送経路４４６、分岐２３６、２３７を経由して反転経路４４８に到達する。フラッパ４３６、４３７は、Ｍ１１３と同じ位置に存在する。また（ｎ＋１）枚目の原稿の後端が、読取位置２３８に到達する。Ｍ１３２とＭ１３３の間で、（ｎ＋１）枚目の原稿がカラーモードで読み取られる。
Ｍ１４１（、Ｍ１５１）：（ｎ＋１）枚目の原稿の後端が、反転経路４４８に到達する。フラッパ４３６、４３７は、Ｍ１１３と同じ位置に存在する。
Ｍ１５２：ｎ枚目の原稿の先端が、分岐２３６、２３７、再搬送経路４４９、搬送経路４４５を経由して読取位置２３８に到達する。このときフラッパ４３６、４３７は、それぞれ位置４３６ｂ、４３７ｂに存在する。
Ｍ１５３：ｎ枚目の原稿の先端が、搬送経路４４６、分岐２３６、反転経路４４７を経由して、排紙トレイ２４９の上に到達する。フラッパ４３６、４３７は、Ｍ１５２と同じ位置に存在する。またｎ枚目の原稿の後端が、読取位置２３８に到達する。Ｍ１５２とＭ１５３の間で、ｎ枚目の原稿がモノクロモードで読み取られる。
Ｍ１７１：ｎ枚目の原稿の後端が、排紙トレイ２４９に到達する。すなわちｎ枚目の原稿が、排紙トレイ２４９にスタックされる。フラッパ４３６、４３７は、Ｍ１５２と同じ位置に存在する。このとき原稿の読取面は、下向きとなる。なお（ｎ＋１）枚目の原稿がカラー原稿と判定された場合は、次のＭ１７２ではなく、Ｍ１８５に移行する。
Ｍ１７２：（ｎ＋１）枚目の原稿の後端が、分岐２３７、２３６を経由して反転経路４４７に到達する。このときフラッパ４３６、４３７は、それぞれ位置４３６ｂ、４３７ａに存在する。なおＭ１７３までは、（ｎ＋１）枚目の原稿は通常と逆向きに搬送される。
Ｍ１７３：（ｎ＋１）枚目の原稿の先端が、反転経路４４７に到達する。フラッパ４３６、４３７は、Ｍ１７２と同じ位置に存在する。
Ｍ１７４：（ｎ＋１）枚目の原稿の先端が、分岐２３６、２３７、再搬送経路４４９、搬送経路４４５を経由して読取位置２３８に到達する。このときフラッパ４３６、４３７は、それぞれ位置４３６ｂ、４３７ｂに存在する。
Ｍ１７５：（ｎ＋１）枚目の原稿の先端が、搬送経路４４６、分岐２３６、反転経路４４７を経由して、排紙トレイ２４９の上に到達する。フラッパ４３６、４３７は、Ｍ１７４と同じ位置に存在する。また（ｎ＋１）枚目の原稿の後端が、読取位置２３８に到達する。Ｍ１７４とＭ１７５の間で、（ｎ＋１）枚目の原稿がモノクロモードで読み取られる。
Ｍ１８５：（ｎ＋１）枚目の原稿の後端が、排紙トレイ２４９に到達する。すなわち（ｎ＋１）枚目の原稿が、排紙トレイ２４９にスタックされる。フラッパ４３６、４３７は、Ｍ１７４と同じ位置に存在する。
Ｍ１８７：ｎ枚目の原稿の後端が、排紙トレイ２４９に到達する。すなわちｎ枚目の原稿が、排紙トレイ２４９にスタックされる。フラッパ４３６、４３７は、Ｍ１１３と同じ位置に存在する。このとき原稿の読取面は、下向きとなる。
【００９３】
図２２〜図２４は、本実施の形態における、ＡＣＳ読み取りでのタイムチャートを示す図である。各図の記号の意味等は、図１７〜図１９と同様である。なお、図２２は、本実施の形態における、ＡＣＳ読み取りでの、ｎ枚目と（ｎ＋１）枚目の原稿がそれぞれカラー原稿の場合のタイムチャートを示す。また、図２３は、本実施の形態における、ＡＣＳ読み取りでの、ｎ枚目の原稿がカラー原稿、（ｎ＋１）枚目の原稿がモノクロ原稿の場合のタイムチャートを示す。また、図２４は、本実施の形態における、ＡＣＳ読み取りでの、ｎ枚目と（ｎ＋１）枚目の原稿がモノクロ原稿の場合のタイムチャートを示す。
【００９４】
従来の方法のタイムチャートである図１７〜図１９と、本実施の形態のタイムチャートである図２２〜図２４とを比較すると分かるように、本実施の形態の手法にカラー原稿を読み取る場合は、読み取り条件の変更回数（モード変更の回数）が少なくなる。これにより、結果として読み取り条件の変更に伴う待ち時間を低減し、読み取りの生産性を改善することができる。
【００９５】
なお、本実施の形態の画像読取装置で実行されるプログラムは、ＲＯＭ等に予め組み込まれて提供される。
【００９６】
本実施の形態の画像読取装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９７】
さらに、本実施の形態の画像読取装置で実行されるプログラムを、インターネット等のネットワークに接続されたコンピュータ上に格納し、ネットワーク経由でダウンロードさせることにより提供するように構成しても良い。また、本実施の形態の画像読取装置で実行されるプログラムをインターネット等のネットワーク経由で提供または配布するように構成しても良い。
【００９８】
本実施の形態の画像読取装置で実行されるプログラムは、上述した各部を含むモジュール構成となっており、実際のハードウェアとしてはＣＰＵ（プロセッサ）が上記ＲＯＭからプログラムを読み出して実行することにより上述した各部が主記憶装置上にロードされ、上記各部が主記憶装置上に生成されるようになっている。
【符号の説明】
【００９９】
９０  操作ボード
１００  プリンタ
２０７  ＣＣＤ
２１０  スキャナ
２１８  スケール
２１９  基点センサ
２２１  コンタクトガラス
２２２  照明ランプ
２２３  第１ミラー
２２４  第２ミラー
２２５  第３ミラー
２２６  レンズ
２２９  基準白板
２３０  ＡＤＦ
２３６、２３７  分岐
２３８  読取位置
２４０  読み取りガラス
２４１  原稿トレイ
２４２  ピックアップローラ
２４３  レジストローラ対
２４４、２４５、２４８  搬送ローラ
２４６、２４７  排紙ローラ
２４９  排紙トレイ
２６０  エンジン
２６２  画像入出力処理部
２６３  スキャナ画像処理部
２６４  プリンタ画像処理部
２７０  コントローラボード
２７１  ＨＤＤ
２７２  ＣＰＵ
２７３  書画蓄積制御部
２７４  回転器
２７５  編集器
２７６  ＭＥＭ−Ｃ
２７８  ノースブリッジ
２７９  システムメモリ
２８０  ＮＩＣ
２８１  ＵＳＢデバイス
２８２  ＩＥＥＥ１３９４デバイス
２８３  セントロニクスデバイス
２８４  ＭＬＢ
２８５  サウスブリッジ
２８６  ＲＯＭ
２８７  ファクシミリコントロールユニット
３０１、３０２、３０３、３０５  ラインセンサ
３１０〜３１３  書込みユニット
３２２、３２３  スイッチ
３３１、３３２、３３３  出力端子
４０１  ＡＤＦモータ
４０２  モータドライバ
４１１  原稿判定部
４３６、４３７  フラッパ
４４３、４４５、４４６  搬送経路
４４７、４４８  反転経路
４４９  再搬送経路
【先行技術文献】
【特許文献】
【０１００】
【特許文献１】特許第３７３５３２４号公報
【図１】
2010219961.tif 000003
【図２】
2010219961.tif 000004
【図３】
2010219961.tif 000005
【図４】
2010219961.tif 000006
【図５】
2010219961.tif 000007
【図６】
2010219961.tif 000008
【図７】
2010219961.tif 000009
【図８】
2010219961.tif 000010
【図９】
2010219961.tif 000011
【図１０】
2010219961.tif 000012
【図１１】
2010219961.tif 000013
【図１２】
2010219961.tif 000014
【図１３】
2010219961.tif 000015
【図１４】
2010219961.tif 000016
【図１５】
2010219961.tif 000017
【図１６】
2010219961.tif 000018
【図１７】
2010219961.tif 000019
【図１８】
2010219961.tif 000020
【図１９】
2010219961.tif 000021
【図２０】
2010219961.tif 000022
【図２１】
2010219961.tif 000023
【図２２】
2010219961.tif 000024
【図２３】
2010219961.tif 000025
【図２４】
2010219961.tif 000026